(57)【要約】【課題】  位牌の組み立て構造を提供する。【解決手段】  固定台１、底台２、位牌体３により構成する。該固定台は、基礎となる設置面上に固定部品１２により固定し、該固定台上部の鳩尾台１０に嵌合する該底台底部のスライド溝２０により底台を位置決め固定する。  該固定台上面に挿接孔２２を設けて、該位牌体の底部に該挿接孔に対応して設けた挿接ブロックを該底台の挿接孔に嵌合して位牌体を固定する。  位牌体は、前、後縁に挿入固定溝３３，３４を設けて、透明板３５、位牌体３６，３７を挿入し、祭る先祖に応じてこれらの位牌体を前後差し替える。【選択図】  図  １
2007037866.tif 000002
【特許請求の範囲】
【請求項１】
固定台、底台、位牌体により構成し、
該固定台は、基礎となる設置面上に固定するようにしてなると共に、上面に鳩尾台を設け、
該底台は、該固定台上に組合せ固定するため、その底部に該固定台の鳩尾台に対応する形状の鳩尾溝を形成したスライド溝を設けると共に、該底台の頂面には挿接孔を設けてなり、
該位牌体は、該底台上方に立設するため、その底部には該底台の挿接孔と対応して形成され、これらと嵌合する挿接ブロックを設けてなることにより、
組み立て可能としたことを特徴とする位牌の定位構造。
【請求項２】
前記固定台の頂面には底部まで貫通する穿孔を設け、該穿孔内には固接部品を挿通して基礎となる設置面上に固定するようにし、前記底台のスライド溝前面には名札を固設してなることを特徴とする請求項１記載の位牌の定位構造。
【請求項３】
前記位牌体の前面と後面には共に凹面を設置し、該凹面の内側周囲縁には挿入固定溝を形成し、前面の該挿入固定溝内には透明板及び位牌板を挿入し、後面の該挿入固定溝内には別の位牌板を挿入し、祭ろうとする祖先に応じて相対する位牌板を交換可能としたことを特徴とする請求項１記載の位牌の定位構造。
【発明の詳細な説明】
【技術分野】
【０００１】
本発明は、位牌の組み立、定位構造に関する。特に、固定台、底台、位牌体により構成し、該固定台は基礎となる設置面上に固定設置し、該底台底部にはスライド溝を設けて該固定台を嵌合、定位し、該底台上には挿接孔を設けて、該位牌体の底部に該底台の挿接孔と対応して突出設置した挿接ブロックを、該底台の挿接孔に嵌合固定し、こうして、位牌に組み合わせる前の該位牌体、該底台、該固定台は包装が容易で体積を節減でき、組み立て時には、該位牌体は迅速に該底台上に挿入され、迅速に位牌を組み立て可能で、また該固定台により該底台を設置面上に固定するため、位牌を安定的に定位可能で、傾倒或いは移動の恐れがない位牌の定位構造に係る。
【背景技術】
【０００２】
お彼岸頃の天候の不安定な折でも、人々は遠くから故郷に帰り墓参りを行う。または家にある先祖を祭る位牌に線香をあげ故人を偲ぶ。これらの行為は子孫として、人の世の習いとして当然の行いであり、さらに民族としても伝統を重んじる大切な行事である。
ところで一般に家庭の仏壇には位牌が祭られており、家人はそれを拝み敬意を表する。公知の位牌はパネル上に祖先の名前がある位牌で、それぞれの先人がそれぞれの位牌を持つ。子孫が祖先を拝もうとする時には、その祖先の位牌を先ず探し出して仏壇上の設置面に供えつける。
しかし、公知の位牌は一体成型で底台上に直立、固定する形態であるため、包装時には体積が非常に大きくなり、スペースをとる。しかも、拝む時には毎回時間をかけて異なる位牌を探し出す必要があり、非常に不便である。また公知の位牌と設置面には固定構造がないため、地震、或いは設置面が打撃を受け揺動すれば、その位牌は傾倒し或いは移動してしまう。
【特許文献１】特開２００５−１４３６６６号公報
【特許文献２】特開２００２−２０４７４３号公報
【特許文献３】特開平１１−４６９６８号公報
【発明の開示】
【発明が解決しようとする課題】
【０００３】
公知構造には以下の欠点があった。
すなわち公知の位牌は一体成型で底台上に直立、固定する形態であるため、包装時には体積が非常に大きくなり、スペースをとり、しかも、拝む時には毎回時間をかけて異なる位牌を探し出す必要があり、非常に不便である。また公知の位牌と設置面には固定構造がないため、地震、或いは設置面が打撃を受け揺動すれば、その位牌は傾倒し或いは移動してしまう。
本発明は上記構造の問題点を解決した位牌の定位構造を提供するものである。
【課題を解決するための手段】
【０００４】
上記課題を解決するため、本発明は下記の位牌の定位構造を提供する。
それは包装時の体積を節減でき、迅速に組み立て可能で、安定的に挿接使用することができ、祭ろうとする位牌を迅速に交換可能で、
また、それは固定台、底台、位牌体を含み、
該固定台は基礎とする設置面上に固設し、該固定台上には鳩尾台を設け、
該底台底部には該固定台と同形で鳩尾台に対応する形状の鳩尾溝を有するスライド溝を設け、該底台の頂点面には挿接孔を設け、
該位牌体は、該底台上方に立設し、該位牌体の底部には挿接ブロックを設けて、これらと対応する該底台の挿接孔に嵌合固定することを特徴とする位牌の定位構造である。
【発明の効果】
【０００５】
上記のように、本発明の位牌体と底台は分解、組み立て可能であるため、包装時の体積を減少させることができ、また組み立て時には、位牌体の挿接ブロックは底台の挿接孔に迅速に嵌合固定されるため、位牌の組み立てをスピーディーに行うことができる。さらに、本発明は便利かつ迅速に祭ろうとする祖先の位牌を交換可能で、しかも、位牌体の前後面において位牌板を挿入し、かつ一族名札を凹面内に設置可能であるため、各祖先の位牌の設置と保管の空間を節減可能で、拝む時にも利便性が高い。また本発明の位牌は固定台により底台を基礎設置面上に安定的に固定可能で、位牌の傾倒或いは移動を防止することができる。
【発明を実施するための最良の形態】
【０００６】
図１に示すように、本発明は主に固定台１、底台２、位牌体３により構成する。
該固定台１上には鳩尾台１０を設け、該固定台１の頂点面には２個の穿孔１１を設けて底部まで貫通する。該穿孔１１内には固接部品１２を穿設する。
該底台２は、該固定台１上に組み合わせ、該底台２底部には該固定台１と同形のスライド溝２０を設ける。該スライド溝２０内には該固定台１の鳩尾台１０と相互に対応する鳩尾溝２１を設ける。該底台２の頂点面には２個の左右相互に対応する挿接孔２２を設けると共に、名札２３を該底台２のスライド溝２０前面に固定する。
該位牌体３は、該底台２上方に設置し、該位牌体３の底部には２個の凸字型の挿接ブロック３０を左右相対して設け、該底台２の挿接孔２２に挿通して位牌体を立設する。
該位牌体３の前面と後面には共に凹面３１、３２を形成し、該凹面３１、３２の内側周囲縁には挿入固定溝３３、３４を設ける。前面の挿入固定溝３３内には透明板３５及び位牌板３６を挿入し、後面の挿入固定溝３４内には別の位牌板３７或いは一族名札を挿入する。
【０００７】
組み立て時には、図１、２、３に示すように、先ず該固定台１を該固接部品１２により祖先の位牌を設置しようとする位置に固定し、該底台２のスライド溝２０を該固定台１に合わせる。これにより、該固定台１の鳩尾台１０と該底台２の鳩尾溝２１は相互に対応し、該底台２を該固定台１上に位置決めし、該名札２３を該底台２のスライド溝２０前面に固定し、該固定台１を見えないように遮蔽する。また、該位牌板３６と該透明板３５を一緒に該位牌体３前方の凹面３１の挿入固定溝３３内に一緒に挿入、組合せ、続いて別の位牌板３７或いは一族名札を該位牌体３後方の凹面３２の挿入固定溝３４内に挿入し、組み合わせる。さらに、該位牌体３底部の挿接ブロック３０を該底台２の挿接孔２２に嵌め込み、こうして該位牌体３を該底台２上に設置することができる。
このように、位牌の組み立てを迅速に行うことができ、組み立てに便利で堅固である。さらに、他の祖先を祭ろうとする時には、該位牌体３後方の位牌板３７を前方へ向け、或いは該位牌体３前方の位牌板３６を抜き取り別の位牌板３７に交換し（図４参照）、または該位牌板３６を取り出し、該位牌体３内の一族名札を前方へと向けるだけでよい。こうして、該位牌板３６或いは一族名札により異なる祖先の位牌を祭ることができる。
【図面の簡単な説明】
【０００８】
【図１】本発明の立体分解図である。
【図２】本発明の立体組合せ図である。
【図３】本発明の組合せ断面図である。
【図４】本発明において別の位牌に交換した状態の指示図である。
【符号の説明】
【０００９】
１  固定台
１０  鳩尾台
１１  穿孔
１２  固接部品
２  底台
２０  スライド溝
２１  鳩尾溝
２２  挿接孔
２３  名札
３  位牌体
３０  挿接ブロック
３１  凹面
３２  凹面
３３  挿入固定溝
３４  挿入固定溝
３５  透明板
３６  位牌板
３７  位牌板
【図１】
2007037866.tif 000003
【図２】
2007037866.tif 000004
【図３】
2007037866.tif 000005
【図４】
2007037866.tif 000006